【手続補正書】
【提出日】平成17年9月26日(2005.9.26)
【手続補正１】
【補正対象書類名】特許請求の範囲
【補正対象項目名】全文
【補正方法】変更
【補正の内容】
【特許請求の範囲】
【請求項１】
パッケージ金属をプレフォーム配置にパターン化するステップと、
前記パッケージ金属からパッケージを、少なくとも燃料貯蓄インターフェース層、複数の抵抗ヒータ要素を含む層、燃料電池を含む微小多孔流体主構造層、及びキャップ層によって構成される複数層に形成するステップと、
微小チャンネルをパッケージに組み込むステップと、を有することを特徴とするＭＥＭＳ基礎の燃料電池についてのパッケージ形成方法。
【請求項２】
パターン化された第一の層とパターン化された第二の層とをそれぞれ創作するために第一の層と第二の層とをパターン化するステップと、
前記パターン化された第一の層と前記パターン化された第二の層とを共に結合させるステップと、
前記パターン化された第一の層と前記パターン化された第二の層とを含む固形酸化燃料電池を組立てるステップと、からなる燃料電池についてのパッケージ形成方法であって、
前記パターン化された第一の層は、少なくとも第一の微小チャンネルの一部であって、前記第一の微小チャンネルと第二の微小チャンネルは、流動性の伝達手段であり、前記第一の微小チャンネルと前記第二の微小チャンネルとは、燃料と酸化剤のうち少なくとも一つを燃料電池に送るようにすることを特徴とするＭＥＭＳ基礎の燃料電池についてのパッケージ形成方法。
【請求項３】
前記パターン化された第一の層と前記パターン化された第二の層とは、それぞれパッケージ金属をプレフォーム配置にパターン化したものからなり、組立てた前記固形酸化燃料電池は、前記パッケージ金属から前記パッケージを形成させることからなり、前記パッケージには、（ｉ）前記第一および第二の層からなる層、少なくとも燃料貯蓄インターフェース層、抵抗ヒータ要素を含む層、燃料電池を含む微小多孔流体主構造層、及びキャップ層によって構成される複数層、（ｉｉ）微小チャンネルをパッケージに組み込むことを含む請求項２に記載のＭＥＭＳ基礎の燃料電池についてのパッケージ形成方法。
【請求項４】
前記複数層はさらに、陽極連結管支持材層及び陰極連結管支持材層を含む請求項１、２、または３に記載のＭＥＭＳ基礎の燃料電池についてのパッケージ形成方法。
【請求項５】
さらに、スクリーンプリント技術を利用しているそれぞれの層間を金属相互接続によるパターン化を行うステップを有する請求項１、２または３に記載のＭＥＭＳ基礎の燃料電池についてのパッケージ形成方法。
【請求項６】
前記パッケージ金属がプラスチック成形によって構成されている請求項１、２または３に記載のＭＥＭＳ基礎の燃料電池についてのパッケージ形成方法。
【請求項７】
前記プラスチック成形がデュポンカプトンまたはシルガードシリコンであり、前記パッケージ金属は、エッチング技術もしくは成形技術を利用してパターン化される請求項６に記載のＭＥＭＳ基礎の燃料電池についてのパッケージ形成方法。
【請求項８】
前記プラスチック成形が、約２５μｍから約１ｍｍの間、もしくは約５０μｍから約２５０μｍの間の薄さを有するように形成される請求項６に記載のＭＥＭＳ基礎の燃料電池についてのパッケージ形成方法。
【請求項９】
前記パッケージ金属は、セラミックグリーンテープ金属、デュポン９５１グリーンテープからなるセラミックグリーンテープによって構成されている請求項１、２または３に記載のＭＥＭＳ基礎の燃料電池についてのパッケージ形成方法。
【請求項１０】
前記セラミックグリーンテープが、約２５μｍから約１ｍｍの間の薄さを有するように形成される請求項９に記載のＭＥＭＳ基礎の燃料電池についてのパッケージ形成方法。
【請求項１１】
前記セラミックグリーンテープが、約５０μｍから約２５０μｍの間の薄さを有するように形成される請求項９に記載のＭＥＭＳ基礎の燃料電池についてのパッケージ形成方法。
【請求項１２】
さらに、任意の２またはそれ以上の前記層間を垂直方向に延伸する電極フィードスルーを組み込むステップを有する請求項１、２または３に記載のＭＥＭＳ基礎の燃料電池についてのパッケージ形成方法。
【請求項１３】
さらに、前記パッケージ内部に空気流連結管を組み込むステップを有する請求項１、２または３に記載のＭＥＭＳ基礎の燃料電池についてのパッケージ形成方法。
【請求項１４】
さらに、前記パッケージ内に燃料流連結管を組み込むステップを有する請求項１、２または３に記載のＭＥＭＳ基礎の燃料電池についてのパッケージ形成方法。
【請求項１５】
電流入力、燃料取り組み口及び前記電流入力に接続された複数の第一電極リードを有する第一の層と、
陽極連結管支持材ビーム、抵抗ヒータ支持材構造、燃料流路、空気流路に接続された空気取り入れ口、及び前記複数の第一の電極リードに接続している抵抗ヒータを有する第三の層と、
燃料流路、空気流路、及び陽極と陰極との間に挟まれた電解質から形成される薄フィルム燃料電池を含む微小多孔流動主構造を有する第四の層と、
前記第四の層内の前記空気流路ヘ接続する空気連結管、燃料流路、陽極電極フィードスルー、及び陰極電極フィードスルーを有する第五の層と、
前記第五の層内の前記空気連結管へと接続される空気流路、燃料流路、陽極電極フィードスルー、及び陰極電極フィードスルーを有する第六の層と、
空気流路、燃料流路、陽極電極フィードスルー、及び陰極電極フィードスルーとを有する第七の層と、
前記層のそれぞれを通過してアース接続が行われる抵抗電極フィードスルー及び電極フィードスルーとから構成されることを特徴とするＭＥＭＳ基礎の燃料電池についてのパッケージ。
【請求項１６】
固形酸化燃料電池と、互いに結合したパターン化された第一の層とパターン化された第二の層とを備えたＭＥＭＳ基礎の燃料電池についてのパッケージであって、前記パターン化された第一の層は、少なくとも第一の微小チャンネルの一部であり、前記パターン化された第二の層は、少なくとも第二の微小チャンネルの一部であって、前記第一の微小チャンネルと前記第二の微小チャンネルは、流動性の伝達手段であり、前記第一の微小チャンネルと前記第二の微小チャンネルとは、燃料と酸化剤のうち少なくとも一つを燃料電池に送るようにすることを特徴とするＭＥＭＳ基礎の燃料電池についてのパッケージ。
【請求項１７】
電流入力、燃料取り込み口及び前記電流入力に接続された複数の第一電極リードを備える第一の層と、
陽極連結管支持材構造、前記燃料取りこみ口に接続された燃料流路、及び燃料排出口を備える第二の層と、
前記燃料取りこみ口と前記燃料流路とは、部分的であっても第一微小チャンネルと第二微小チャンネルの部分であり、燃料電池についてのパッケージはさらに、
連結管支持材ビーム、抵抗ヒータ支持材構造、燃料流路、空気流路に接続された空気取り入れ口、及び前記複数の第一の電極リードに接続している抵抗ヒータを有する第三の層と、
燃料流路、空気流路、及び陽極と陰極との間に挟まれた電解質から形成される薄フィルム燃料電池を含む微小多孔流動主構造を有する第四の層と、
前記第四の層ないの前期空気流路ヘ接続する空気連結管、燃料流路、陽極電極フィードスルー、及び陰極電極フィードスルーを有する第五の層と、
前記第五の層内の前記空気連結管へと接続される空気流路、燃料流路、陽極電極フィードスルー、及び陰極電極フィードスルーを有する第六の層と、
空気流路、燃料流路、陽極電極フィードスルー、及び陰極電極フィードスルーとを有する第七の層と、
前記層のそれぞれを通過してアース接続が行われる抵抗電極フィードスルー及び電極フィードスルーとから構成される請求項１６に記載のＭＥＭＳ基礎の燃料電池についてのパッケージ。
【請求項１８】
電流入力、燃料取り入れ口、及び前記電流入力に接続される複数の第一の電極リードを備えた第一の層と、
陽極連結管支持材構造、前記燃料流路に接続される燃料流路、及び燃料排出口を備えた第二の層と、
前記燃料取りこみ口と前記燃料流路とは、部分的であっても第一微小チャンネルと第二微小チャンネルの部分であり、燃料電池についてのパッケージはさらに、
連結管支持材ビーム、抵抗ヒータ支持材構造、燃料流路、及び複数の前記第一の電極リードに接続された抵抗ヒータを有する第三の層と、
燃料流路、及び陽極と陰極との間に挟まれた電解質から形成される薄フィルム燃料電池を含む微小多孔流動主構造を有する第四の層と、
燃料電池パッケージ内部に空気の吸気・排気を行う手法を含む空気、燃料流路、陽極電極フィードスルー、及び陰極電極フィードスルーを有する第五の層と、
燃料流路、陽極電極フィードスルー、及び陰極電極フィードスルーを有する第六の層と、
燃料流路、陽極電極フィードスルー、及び陰極電極フィードスルーを有する第七の層と、
前記層のそれぞれを通過してアース接続が行なわれる抵抗電極フィードスルーと電極フィードスルーとから構成される請求項１６に記載のＭＥＭＳ基礎の燃料電池についてのパッケージ。
【請求項１９】
電流入力、燃料取り入れ口、及び前記電流入力に接続される複数の第一の電極リードを備えた第一の層と、
陽極連結管支持材構造、前記燃料流路に接続される燃料流路、及び燃料排出口を備えた第二の層と、
連結管支持材ビーム、抵抗ヒータ支持材構造、燃料流路、及び複数の前記第一の電極リードに接続された抵抗ヒータを有する第三の層と、
燃料流路、及び陽極と陰極との間に挟まれた電解質から形成される薄フィルム燃料電池を含む微小多孔流動主構造を有する第四の層と、
燃料電池パッケージ内部に空気の吸気・排気を行う手法を含む空気、燃料流路、陽極電極フィードスルー、及び陰極電極フィードスルーを有する第五の層と、
燃料流路、陽極電極フィードスルー、及び陰極電極フィードスルーを有する第六の層と、
燃料流路、陽極電極フィードスルー、及び陰極電極フィードスルーを有する第七の層と、
前記層のそれぞれを通過してアース接続が行なわれる抵抗電極フィードスルーと電極フィードスルーとから構成されることを特徴とするＭＥＭＳ基礎の燃料電池についてのパッケージ。
【請求項２０】
高熱分離構造は、稼動している間、燃料電池パッケージの外部エリアを低温で保持するように調整される請求項１６に記載のＭＥＭＳ基礎の燃料電池についてのパッケージ。
【請求項２１】
前記分離構造は、稼動している間、約５５℃以下の温度で燃料電池パッケージの外部エリアを保持する請求項２０に記載のＭＥＭＳ基礎の燃料電池についてのパッケージ。
【請求項２２】
前記高熱分離構造は、高熱状態で供給するために調整される請求項１６に記載のＭＥＭＳ基礎の燃料電池についてのパッケージ。
【請求項２３】
前記パターン化された第一の層と前記パターン化された第二の層の少なくとも一つは、約２５μｍから約１ｍｍの範囲の厚さである請求項１６に記載のＭＥＭＳ基礎の燃料電池についてのパッケージ。
【請求項２４】
前記パターン化された第一の層と前記パターン化された第二の層の少なくとも一つは、ケイ素、セラミックグリーンテープ、セラミック、陽極アルミナから選択される材料からなる請求項１６に記載のＭＥＭＳ基礎の燃料電池についてのパッケージ。
【請求項２５】
第二固形酸化燃料電池と、伝導性リードと、を備えたＭＥＭＳ基礎の燃料電池についてのパッケージであって、前記伝導性リードは、前記固形酸化燃料電池と前記第二固形酸化燃料電池とを接続する請求項１６に記載のＭＥＭＳ基礎の燃料電池についてのパッケージ。
【請求項２６】
熱交換器は、高温ガスの流れを排出することによって、引きこんだ冷却ガスを加熱するために調整する請求項１６に記載のＭＥＭＳ基礎の燃料電池についてのパッケージ。
【請求項２７】
触媒は、少なくとも一つの微小チャンネルに配置されており、引きこんだ燃料を副生成物に変換するために調整する請求項１６に記載のＭＥＭＳ基礎の燃料電池についてのパッケージ。
【請求項２８】
副生成物は、水素から成る請求項２７に記載のＭＥＭＳ基礎の燃料電池についてのパッケージ。
【請求項２９】
電極フィードスルーは、固形酸化燃料電池と燃料電池パッケージの外側を接続する請求項１６に記載のＭＥＭＳ基礎の燃料電池についてのパッケージ。
【請求項３０】
シール接着は、電極フィードスルーの周りに配置されている請求項２９に記載のＭＥＭＳ基礎の燃料電池についてのパッケージ。